(57)【要約】【課題】  金属光沢のある印刷物を得るのに適したインクセットを提供する。【解決手段】  本発明は、シアンインク組成物、イエローインク組成物、マゼンタインク組成物及びブラックインク組成物を備えたインクセットにおいて、シアンインク組成物は色材として金属フタロシアニン系染料を含有し、イエローインク組成物は色材としてＣ．Ｉ．ダイレクトイエロー９８を含有し、マゼンタインク組成物は色材としてＣ．Ｉ．リアクティブレッド２３を含有し、ブラックインク組成物は色材としてＣ．Ｉ．リアクティブブラック３５の少なくとも１つを含有する、金属光沢のある印刷物を得るためのものである。このインクセットによれば、色によって金属光沢の程度が大きく異なることがないのでバランスのよい金属光沢画像を得ることができる。【選択図】        なし                                                           【特許請求の範囲】
【請求項１】
シアンインク組成物、イエローインク組成物、マゼンタインク組成物及びブラックインク組成物を備えたインクセットにおいて、
前記シアンインク組成物は色材として金属フタロシアニン系染料を含有し、
前記イエローインク組成物は色材としてＣ．Ｉ．ダイレクトイエロー９８を含有し、
前記マゼンタインク組成物は色材としてＣ．Ｉ．リアクティブレッド２３を含有し、
前記ブラックインク組成物は色材としてＣ．Ｉ．リアクティブブラック３５を含有することを特徴とする、金属光沢のある印刷物を得るためのインクセット。
【請求項２】
前記シアンインク組成物は金属フタロシアニン系染料としてＣ．Ｉ．ダイレクトブルー８６，８７，１９９の少なくとも１つを含有することを特徴とする、請求項１記載のインクセット。
【請求項３】
前記シアンインク組成物は添加剤としてアミノナフタレンスルホン酸化合物を含有することを特徴とする、請求項１又は２記載のインクセット。
【請求項４】
前記イエローインク組成物は添加剤としてアミノナフタレンスルホン酸化合物を含有することを特徴とする、請求項１〜３のいずれか記載のインクセット。
【請求項５】
前記アミノナフタレンスルホン酸化合物を含有するインク組成物は、該アミノナフタレンスルホン酸化合物をインク組成物全体に対して０．１〜１０重量％含有していることを特徴とする、請求項３又は４記載のインクセット。
【請求項６】
前記アミノナフタレンスルホン酸化合物を含有するインク組成物では、色材と前記アミノナフタレンスルホン酸化合物との含有比率が重量比で１：０．５〜  １：１０の範囲であることを特徴とする、請求項３〜５のいずれか１項に記載のインクセット。
【請求項７】
前記アミノナフタレンスルホン酸化合物は、３−アミノナフタレン−１，５−ジスルホン酸又はその塩である、請求項３〜６のいずれか１項に記載のインクセット。
【請求項８】
シアンインク組成物、イエローインク組成物、マゼンタインク組成物及びブラックインク組成物を備えたインクセットにおいて、
前記各インク組成物は、所定の記録媒体にベタ印刷して得た印刷箇所の光沢指数（式（１）参照）が１５以上であることを特徴とする、金属光沢のある印刷物を得るためのインクセット。
光沢指数＝光沢度（印刷箇所）−光沢度（非印刷箇所）…（１）
【請求項９】
前記各インク組成物は、前記光沢指数が３５以上であることを特徴とする、請求項８に記載のインクセット。
【請求項１０】
インクジェット記録用であることを特徴とする、請求項１〜９のいずれか１項に記載のインクセット。
【発明の詳細な説明】
【技術分野】
【０００１】
本発明は、金属光沢のある印刷物を得るためのインクセットに関する。
【背景技術】
【０００２】
従来より、例えば金属フタロシアニン系染料を使用したインク組成物では、いわゆるベタ印刷を行った部分に金属光沢（ブロンズ現象ともいう）が見られることが知られている。インクセットの中にこのような金属光沢が見られるインク組成物が混在していると、画像全体としての光沢色やバランスが不均一となって画像品質が低下することがあるため、金属光沢を生じない画像が得られるインク組成物の開発が進められている（例えば特許文献１参照）。
【特許文献１】特開２００３−３１３４７８号公報
【発明の開示】
【発明が解決しようとする課題】
【０００３】
このように、これまでは金属光沢が見られるインク組成物をインクセットに混在させることは敬遠されていたが、逆に、金属光沢が見られる画像を得るのに適したインクセットが開発されるとすれば、バランスの良い金属光沢画像を得ることができる。
【０００４】
本発明は、このような課題に鑑みなされたものであり、金属光沢のある印刷物を得るのに適したインクセットを提供することを目的の一つとする。
【課題を解決するための手段】
【０００５】
本発明は、上述の目的の少なくとも一つを達成するために以下の手段を採った。
【０００６】
本発明は、シアンインク組成物、イエローインク組成物、マゼンタインク組成物及びブラックインク組成物を備えたインクセットにおいて、
シアンインク組成物は色材として金属フタロシアニン系染料を含有し、
イエローインク組成物は色材としてＣ．Ｉ．ダイレクトイエロー９８を含有し、
マゼンタインク組成物は色材としてＣ．Ｉ．リアクティブレッド２３を含有し、
ブラックインク組成物は色材としてＣ．Ｉ．リアクティブブラック３５を含有する、金属光沢のある印刷物を得るためのものである。
【０００７】
このインクセットによれば、色によって金属光沢の程度が大きく異なることがないのでバランスのよい金属光沢画像を得ることができる。
【０００８】
本発明のインクセットにおいて、シアンインク組成物は金属フタロシアニン系染料としてＣ．Ｉ．ダイレクトブルー８６，８７，１９９の少なくとも１つを含有することが好ましく、特にＣ．Ｉ．ダイレクトブルー１９９を含有することが好ましい。
【０００９】
また、シアンインク組成物やイエローインク組成物は添加剤としてアミノナフタレンスルホン酸化合物を含有することが好ましい。ここで、アミノナフタレンスルホン酸化合物としては、特に限定されるものではないが、例えば３−アミノナフタレン−１，５−ジスルホン酸、７−アミノ−４−ヒドロキシナフタレン−２−スルホン酸、６−アミノ−４−ヒドロキシナフタレン−２−スルホン酸及びそれらの塩からなる群より選ばれる１種又は２種以上が挙げられる。このうち３−アミノナフタレン−１，５−ジスルホン酸又はその塩が好ましい。また、塩としては、特に限定されないが、例えばナトリウム塩やカリウム塩などのアルカリ金属塩、カルシウム塩やバリウム塩などのアルカリ土類金属塩等が挙げられ、このうちアルカリ金属塩が好ましい。
【００１０】
本発明のインクセットにおいて、アミノナフタレンスルホン酸化合物を含有するインク組成物は、該アミノナフタレンスルホン酸化合物をインク組成物全体に対して０．１〜１０重量％含有していることが好ましく、０．５〜５重量％含有していることがより好ましい。アミノナフタレンスルホン酸化合物をインク組成物全体に対して０．１重量％以上添加することにより十分な金属光沢が得られ、１０重量％以下とすることによりインク組成物の粘度調整が容易となり、また吐出信頼性・目詰まり信頼性が確保しやすくなる。
【００１１】
本発明のインクセットにおいて、アミノナフタレンスルホン酸化合物を含有するインク組成物では、色材とアミノナフタレンスルホン酸化合物との含有比率が重量比で１：０．５〜  １：１０の範囲であることが好ましく、１：１〜１〜１：６の範囲であることがより好ましい。色材に対するアミノナフタレンスルホン酸化合物の比率を重量比で０．５以上とすることにより、十分な金属光沢が得られる。一方、色材に対するアミノナフタレンスルホン酸化合物の比率を重量比で１０を超えて添加しても、それ以上金属光沢が上がりにくい。
【００１２】
本発明のインクセットは、シアンインク組成物、イエローインク組成物、マゼンタインク組成物及びブラックインク組成物を備えた金属光沢のある印刷物を得るためのインクセットであって、各インク組成物は、所定の記録媒体にベタ印刷した印刷箇所の光沢指数（式（１）参照）が１５以上であるものとしてもよい。
光沢指数＝光沢度（印刷箇所）−光沢度（非印刷箇所）  …  （１）
【００１３】
こうすれば、色によって金属光沢の程度が大きく異なることがないのでバランスのよい金属光沢画像を得ることができる。このとき、前記各インク組成物は、前記光沢指数が３５以上であることが好ましい。こうすれば、バランスがよく十分な金属光沢を持つ画像を得ることができる。なお、式（１）において、光沢度は例えば光沢度計（ＰＧ−１Ｍ：日本電色工業株式会社製）を用いて測定することができる。この式（１）において、「印刷箇所」とは記録媒体のうちベタ印刷によりインクが付着した箇所であり、「非印刷箇所」とは記録媒体のうちインクが付着していない箇所である。また、「ベタ印刷」とは、塗りつぶし印刷と同義である。
【００１４】
本発明のインクセットは、インクとして用いるのであれば特にどのような分野で用いてもかまわない。例えば、万年筆やボールペンなどの筆記用具用としてもよいし、ペンプロッタ用としてもよいし、インクジェット記録用としてもよいが、このうちインクジェット記録用とするのが好ましい。インクジェット記録用としては、ピエゾ素子をポンプとして用いて電気エネルギを機械エネルギに変換してインク滴を吐出させるピエゾ方式を採用してもよいし、ノズル内に形成されたヒータの熱エネルギをインクに作用させてインクを沸騰させその膨張エネルギを利用してインク滴を吐出させるサーマルジェット方式を採用してもよい。
【００１５】
本発明のインクセットのインクを付着させる記録媒体としては、特に限定されるものではないが、例えばインクジェット記録用に特別に作成されたコート紙であってもよいし、ＯＨＰ用の透明フィルムであってもよい。
【００１６】
本発明のインクセットを構成する各インク組成物は、色材等を安定して溶解させるためには、ｐＨ（２０℃）を８．０以上とすることが好ましく、８．５〜１０とすることがより好ましい。
【００１７】
本発明のインクセットを構成する各インク組成物は、蒸気圧が純水よりも小さい水溶性有機溶剤及び／又は糖類から選ばれる保湿剤を含有していてもよい。保湿剤により、インクジェット記録方式において、水分の蒸発を抑制してインクを保湿することができる。また、水溶性有機溶剤を含有していれば、吐出安定性が向上するほかインク特性を維持しつつ粘度を容易に変更することができる。水溶性有機溶剤は、例えば、有機性で蒸気圧が水より小さい水溶性の溶媒から選ばれる。具体的には、エチレングリコール、プロピレングリコール、ブタンジオール、ペンタンジオール、２−ブテン−１，４−ジオール、２−メチル−２，４−ペンタンジオール、グリセリン、１，２，６−ヘキサントリオール、ジエチレングリコール、トリエチレングリコール、ジプロピレングリコール等の多価アルコール類；アセトニルアセトン等のケトン類；γ−ブチロラクトン、リン酸トリエチル等のエステル類；フルフリルアルコール、テトラヒドロフルフリルアルコール、チオジグリコール等が好ましい。また、糖類は、マルチトール、ソルビトール、グルコノラクトン、マルトース等が好ましい。保湿剤は、インク組成物全量に対して５〜５０重量％、好ましくは５〜３０重量％、より好ましくは５〜２０重量％の範囲で添加されることが好ましい。５重量％以上であれば保湿性が得られ、また５０重量％以下であればインクジェット記録に用いられる粘度に調整しやすい。
【００１８】
本発明のインクセットを構成する各インク組成物は、溶剤として含窒素系有機溶剤を含有していてもよい。含窒素系有機溶剤としては、１，３−ジメチル−２−イミダゾリジノン、２−ピロリドン、Ｎ−メチル−２−ピロリドン、ε−カプロラクタム等が挙げられ、中でも２−ピロリドンが好ましい。それらは単独で用いてもよいし２種以上併用してもよい。含窒素系有機溶剤の含有量は、０．５〜１０重量％、好ましくは１〜５重量％である。含有量を０．５重量％以上とすることで色材の溶解性向上を図ることができ、１０重量％以下とすることでインク組成物が接する各種部材との耐材料性を悪化させることがない。
【００１９】
本発明のインクセットを構成する各インク組成物は、インクの速やかな定着（浸透性）を得ると同時に１ドットの真円度を高く維持するための効果的な添加剤として、ノニオン系界面活性剤を含有していてもよい。ノニオン系界面活性剤としては、例えばアセチレングリコール系界面活性剤が挙げられる。アセチレングリコール系界面活性剤としては、具体的には、サーフィノール４６５，サーフィノール１０４，オルフィンＥ１０１０，オルフィンＳＴＧ（以上、日信化学工業（株）製）等が挙げられる。その添加量は０．１〜５重量％、好ましくは０．５〜２重量％である。添加量を０．１重量％以上とすることで十分な浸透性を得ることができ、また５重量％以下とすることで画像のにじみの発生を防止できる。さらに、ノニオン系界面活性剤に加えて、浸透促進剤として、グリコールエーテル類を添加することにより、浸透性が増すと共にカラー印刷を行った場合の隣り合うカラーインクとの境界のブリードが減少し、非常に鮮明な画像を得ることができる。本発明に用いられるグリコールエーテル類としては、エチレングリコールモノブチルエーテル、ジエチレングリコールモノブチルエーテル、トリエチレングリコールモノエチルエーテル、プロピレングリコールモノブチルエーテル、ジプロピレングリコールモノブチルエーテル、トリプロピレングリコールモノブチルエーテル、トリエチレングリコールモノブチルエーテル等が挙げられる。その添加量は３〜３０重量％、好ましくは５〜１５重量％である。グリコールエーテル類の添加量を３重量％以上とすることにより、ブリード防止の効果を得ることができる。一方、グリコールエーテル類の添加量を３０重量％を超えて添加しても、それ以上のブリード効果を防止することは期待できず、むしろ画像のにじみや油状分離が発生するおそれがある。なお、油状分離が発生した場合にはグリコールエーテル類の溶解助剤を使用することがあるが、その場合、インクの粘度が上昇して吐出性が低下するおそれがある。
【００２０】
本発明のインクセットを構成する各インク組成物は、必要に応じて、トリエタノールアミンやアルカリ金属の水酸化物等のｐＨ調整剤、尿素およびその誘導体等のヒドロトロピー剤、アルギン酸ナトリウム等の水溶性ポリマー、水溶性樹脂、フッ素系界面活性剤、防腐剤、防カビ剤、防錆剤等を含有していてもよい。
【００２１】
本発明のインクセットを構成する各インク組成物の調製方法としては、例えば、各成分を十分混合溶解し、孔径が数μｍ（例えば０．５〜２μｍ）のメンブランフィルタで加圧ろ過したのち真空ポンプを用いて脱気処理して調製する方法等が挙げられる。
【実施例】
【００２２】
次に、本発明の理解を容易にするために、本発明の好適な幾つかの実施例を以下に説明する。なお、本発明は以下の実施例に何ら限定されることはなく、本発明の技術的範囲に属する限り種々の態様で実施し得ることはいうまでもない。
【００２３】
実施例１〜６及び比較例１〜４につき、表１に示す配合割合で各成分を混合して溶解させ、孔径１μｍのメンブランフィルタで加圧ろ過したのち真空ポンプを用いて脱気処理することによりインク組成物を調製した。なお、表１において、インク組成物の各成分はインク組成物全量に対する各成分の重量％を示し、アミノナフタレンスルホン酸塩は３−アミノナフタレンー１，５−ジスルホン酸ジナトリウム塩を用いた。また、水は全体が１００となるように残量を定めた。
【００２４】
【表１】
2005281330.tif 000002
【００２５】
このようにして調製した各インク組成物を、インクジェットプリンタ（ＥＭ９３０Ｃ：セイコーエプソン株式会社製）の専用カートリッジに充填し、インクジェット専用記録媒体として「写真用紙＜光沢＞」、「光沢フィルム」、「光沢紙」（いずれもセイコーエプソン株式会社の商品名）に印字し、金属光沢の評価を行った。即ち、前出の専用カートリッジを用い、１ｉｎｃｈ2（６．４５ｃｍ2）あたり１．５〜２．２ｍｇの打ち込み量になるようにベタ印字して得られた印刷箇所を、光沢度計（ＰＧ−１Ｍ：日本電色工業株式会社製）を用いて測定し（測定角度６０°）、光沢度を求めた。また、ベタ印字していない非印刷箇所についても、同様にして光沢度を求めた。得られた光沢度を下記式に代入して光沢指数を算出し、この光沢指数を金属光沢の判定基準とした。
光沢指数＝光沢度（記録媒体上の印刷箇所）−光沢度（記録媒体上の非印刷箇所）
【００２６】
ここでは、光沢指数が５５以上のとき金属光沢の評価を「Ａ」とし、光沢指数が３５以上５５未満のとき金属光沢の評価を「Ｂ」とし、光沢指数が１５以上３５未満のとき金属光沢の評価を「Ｃ」とし、光沢指数が１５未満のとき金属光沢の評価を「Ｄ」とした。各インク組成物につき、インクジェット専用記録媒体の種類に対する評価結果も表１に示す。
【００２７】
表１に示した評価結果から明らかなように、シアンインク組成物についてみると、Ｃ．Ｉ．ダイレクトブルー１９９を用いた実施例１，２はＣ．Ｉ．アッシドブルー９を用いた比較例１に比べて金属光沢の評価が高く、また、Ｃ．Ｉ．ダイレクトブルー１９９を用いた場合であってもアミノナフタレンスルホン酸塩を用いた実施例２はこれを用いなかった実施例１に比べて金属光沢の評価が更に高かった。次に、イエローインク組成物についてみると、Ｃ．Ｉ．ダイレクトイエロー９８を用いた実施例３，４はＣ．Ｉ．ダイレクトイエロー１７３を用いた比較例２に比べて金属光沢の評価が高く、また、Ｃ．Ｉ．ダイレクトイエロー９８を用いた場合であってもアミノナフタレンスルホン酸塩を用いた実施例４ではこれを用いなかった実施例３に比べて金属光沢の評価が更に高かった。次に、マゼンタインク組成物についてみると、Ｃ．Ｉ．リアクティブレッド２３を用いた実施例５はＣ．Ｉ．アッシドレッド５３を用いた比較例３に比べて金属光沢の評価が高かった。最後に、ブラックインク組成物についてみると、Ｃ．Ｉ．リアクティブブラック３５を用いた実施例６はＣ．Ｉ．ダイレクトブラック１６８を用いた比較例４に比べて金属光沢の評価が高かった。
【００２８】
以上のことから、シアンインク組成物として実施例１又は２、イエローインク組成物として実施例３又は４、マゼンタインク組成物として実施例５、ブラックインク組成物として実施例６を組み合わせてインクセットとすれば、色によって金属光沢の程度が大きく異なることがないのでバランスのよい金属光沢画像を得ることができる。
【産業上の利用可能性】
【００２９】
本発明は、インク関連産業に利用可能であり、特にインクジェット記録方式用のインクやプリンタに利用可能である。